(57)【要約】【課題】対象の画像をコントローラで遠隔操作し、自由に移動・回転・拡大・縮小することができる画像ビューアを提供すること。【解決手段】コンピュータの有するマウス、又はキーボード等の選択手段によって適宜選択可能な対象画像を格納した画像ファイルをデータ処理してディスプレイ上に表示する画像ビューアにおいて、選択した前記対象画像を移動・回転・拡大・縮小するためのコントローラと、該コントローラから入力された信号を制御する制御部を備えたこと。【選択図】図７
2008176456.tif 000002
【特許請求の範囲】
【請求項１】
コンピュータの有するマウス、又はキーボード等の選択手段によって適宜選択可能な対象画像を格納した画像ファイルをデータ処理してディスプレイ上に表示する画像ビューアにおいて、選択した前記対象画像を移動・回転・拡大・縮小するためのコントローラと、該コントローラから入力された信号を制御する制御部を備えたことを特徴とする画像ビューア。
【請求項２】
前記コントローラは、無線、又は有線によって前記コンピュータと接続された請求項１の画像ビューア。
【請求項３】
前記対象画像のＸ軸方向とＹ軸方向の位置情報を適宜サンプリングレートで算出し、当該画像を特定の場所において事前に設定した数値倍にまで拡大したときに、或いは当該画像を特定の場所まで移動させたときに、当該画像についての音声やナレーション等による解説を再生、又は文字情報による解説文章を表記する請求項１又は２の画像ビューア。
【請求項４】
前記対象画像と略同一の形状を有し、当該対象画像と対応する関係にある一乃至複数枚の対応画像をこの対象画像の下層にレイヤ配置した画像ファイルをデータ処理するに際して、この対応画像と該対応画像のすぐ上にレイヤ配置された画像のＸ軸方向とＹ軸方向の位置情報を同期させると共に、対象画像或いは対応画像に前記操作手段から特定の操作を行うことによって下層にレイヤ配置されている画像を表示させる請求項１〜３のいずれかの画像ビューア。
【発明の詳細な説明】
【技術分野】
【０００１】
本発明は、デジタル画像データを処理する画像ビューアに関する。
【背景技術】
【０００２】
電子出版物である静止画写真集をコンピュータのモニタ画面上で閲覧するに際しては、従来よりユーザから「見たい部分を拡大できない」、或いは、「一部を集中的に閲覧したい」などの不満や要望があった。
【０００３】
また、動画ファイルを再生閲覧するに際しては、「特定の画像対象を思い通りに動かしたい」との欲求が湧くことも少なくない。
【０００４】
しかしながら、上記の静止画写真集や動画ファイルを処理する従来の画像ビューアは、特定の画像対象のみを自由に移動・回転・拡大・縮小等させることができるものではなかった。
【発明の開示】
【発明が解決しようとする課題】
【０００５】
そこで本発明は、対象の画像をコントローラで遠隔操作し、自由に移動・回転・拡大・縮小することができる画像ビューアを提供することを課題とする。
【課題を解決するための手段】
【０００６】
上記課題を解決することを目的としてなされた本発明画像ビューアの構成は、コンピュータの有するマウス、又はキーボード等の選択手段によって適宜選択可能な対象画像を格納した画像ファイルをデータ処理してディスプレイ上に表示する画像ビューアにおいて、選択した前記対象画像を移動・回転・拡大・縮小するためのコントローラと、該コントローラから入力された信号を制御する制御部を備えたことを特徴とするものである。前記操作手段は、無線、又は有線で前記コンピュータと接続されたコントローラにより操作できるよう構成してもよい。
【０００７】
また本発明画像ビューアは、前記対象画像のＸ軸方向とＹ軸方向の位置情報を適宜サンプリングレートで算出し、当該画像を特定の場所において事前に設定した数値倍にまで拡大したときに、又は当該画像を特定の場所まで移動させたときに、当該画像に関し音声やナレーション等による解説を再生する、或いは文字情報による解説文章を表記するよう構成してもよい。
【０００８】
さらに本発明画像ビューアは、前記対象画像と略同一の形状を有し、当該対象画像と対応する関係にある一乃至複数枚の対応画像をこの対象画像の下層にレイヤ配置した画像ファイルをデータ処理するに際して、この対応画像と該対応画像の一枚上にレイヤ配置された画像のＸ軸方向とＹ軸方向の位置情報を同期させると共に、対象画像或いは対応画像に前記操作手段から特定の操作を行うことによって下層にレイヤ配置されている画像を表示させるよう構成してもよい。
【発明の効果】
【０００９】
本発明に拠れば、画像データをコンピュータ上で再生閲覧するに際し、対象の画像をコントローラで遠隔操作し、自由に移動・回転・拡大・縮小させることができる。また、対象画像のＸ軸・Ｙ軸方向の位置情報をリアルタイムで把握し、拡大・移動等させて、対象に係る解説を行うので、例えば、一枚の画像に複数枚の動物を表示し、特定の画像を拡大したときにその動物の啼き声や生態などの関する情報を付することができる。さらに、対象画像をマウスでクリック等することによって、その下層にレイヤ配置された対応画像を表示させるので、例えば、家の外観画像を前面に表示し、扉に近づいたときに特定の動作を行うことで扉が開くなどの擬似アニメーションを作成することができる。この結果、ユーザは簡便に対象画像を思い通りに動かすことが可能となるから、自己の意思を反映させながら画像を閲覧することができ、前述の不満、要望、或いは欲求についても完全に解消するという効果を有する。
【発明を実施するための最良の形態】
【００１０】
次に、本発明の実施の形態例を図により説明する。図1〜図６は本発明画像ビューアによりディスプレイ上に表示される画像を例示した図である。
【００１１】
図1において、１は適宜選択される対象画像である。本実施例では、対象画像１として着衣を有する女性アイドルを選択している。
【００１２】
対象画像1の下には、前記着衣を有しない女性アイドルの画像１０が画面上の位置情報を同期させながらレイヤ配置されており、例えば女性の胸部付近に選択手段Ｉによってマウスカーソル２を合わせクリック選択すれば、その下から画像１０がコンピュータＰＣのディスプレイＤ上に表示される（図２〜図４参照）。
【００１３】
また、選択した画像１に対し、コントローラＣＲによって適宜信号を入力して、該選択画像１を自由に移動・回転・拡大・縮小等させることができる。これは、マイクロソフト社製のフレームワークスによりダイレクトＸのＡＰＩを呼び込み、スプライト機能を使用してグラフィックカードの高速描画を実現するものである。
【００１４】
この結果として、ユーザは自己の手の中で対象を意志通りに動かす優越感を得ることとなる。
【００１５】
図５は、一の画面中に複数の対象画像１を表示した例であって、３はブタ、４はウマを表示している。
【００１６】
ブタ３を適宜倍率まで拡大し、これにカーソル２を合わせるとブタ３の鳴き声と共に「このブタは、ツチブタである。」などの音声、解説、吹き出しを表示等することができる。
【００１７】
これにより、企業等におけるプレゼンテーション、或いは学習教材として有効に利用することが可能となる。
【産業上の利用可能性】
【００１８】
本発明は以上の通りであって、画像データをコンピュータ上で再生閲覧するに際し、対象の画像をコントローラで遠隔操作し、自由に移動・回転・拡大・縮小させることができ、また、対象画像のＸ軸・Ｙ軸方向の位置情報をリアルタイムで把握し、拡大・移動等させて、対象に係る解説を行うので、例えば、一枚の画像に複数枚の動物を表示し、特定の画像を拡大したときにその動物の啼き声や生態などの関する情報を付することができ、さらに、対象画像をマウスでクリック等することによって、その下層にレイヤ配置された対応画像を表示させるので、例えば家の外観画像を前面に表示し、扉に近づいたときに特定の動作を行うことで扉が開くなどの擬似アニメーションを作成することができる結果、ユーザは簡便に対象画像を思い通りに動かすことが可能となるから、自己の意思を反映させながら画像を閲覧することができ、前述の不満、要望、或いは欲求についても完全に解消するという効果を有するので画像ファイルをデータ処理してコンピュータのディスプレイ上に表示する画像ビューアに適用してきわめて有用である。
【図面の簡単な説明】
【００１９】
【図１】本発明画像ビューアによりディスプレイ上に表示される画像を例示した図。
【図２】本発明画像ビューアによりディスプレイ上に表示される画像を例示した図。
【図３】本発明画像ビューアによりディスプレイ上に表示される画像を例示した図。
【図４】本発明画像ビューアによりディスプレイ上に表示される画像を例示した図。
【図５】本発明画像ビューアによりディスプレイ上に表示される画像を例示した図。
【図６】本発明画像ビューアによりディスプレイ上に表示される画像を例示した図。
【図７】本発明画像ビューアを構成するシステムブロック図
【符号の説明】
【００２０】
１    対象画像
１０  レイヤ画像
２    カーソル
ＰＣ  コンピュータ
Ｄ    ディスプレイ
Ｉ    選択手段
ＣＲ  コントローラ
ＣＰ  制御部
【図１】
2008176456.tif 000003
【図２】
2008176456.tif 000004
【図３】
2008176456.tif 000005
【図４】
2008176456.tif 000006
【図５】
2008176456.tif 000007
【図６】
2008176456.tif 000008
【図７】
2008176456.tif 000009